(57)【要約】      （修正有）【課題】弾力性、かつ、厚みの有る樹脂シートの片面が被取り付け面に取り外し可能に貼り付けられる貼り付け面とされ、他方側面をクリーナー面とするクリーナーを提供する。【解決手段】携帯電話機用クリーナー１は円形で、１ｍｍ厚のポリエチレン発泡体よりなる樹脂シート（１０倍発泡）２の表面側に不織布よりなるクリーナー部材３がアクリル系の接着剤層４を介して固着され、裏面側にウレンタ系の粘着剤層５が設けられ、販売時にはその粘着剤層５に離形シート６が貼り付けられている。上記のような構成により、携帯電話機用クリーナー１は、表面がクリーナー面とされ裏面が携帯電話機への貼り付け面とする。【選択図】図２
0003146500.tif 000002
【実用新案登録請求の範囲】
【請求項１】
弾力性、かつ、厚みの有る樹脂シートの片面が被取り付け面に取り外し可能に貼り付けられる貼り付け面とされ、他方側面をクリーナー面とすることを特徴とするクリーナー。
【考案の詳細な説明】
【技術分野】
【０００１】  この考案は、携帯電話機の表示画面等を拭くように用いられるクリーナーに関する。
【背景技術】
【０００２】  携帯電話機のストラップに携帯電話機の表示画面を拭くための布状のクリーナーを取り付けたものがある。しかしながら上記のようにストラップをクリーナーの取り付けに使用するとストラップにキャラクターグッズ等を取り付けたり、またストラップの端部を衣服に係止するようなことができなくなる。ストラップを複数本用いると費用がかかるとともに、携帯電話の扱いにも支障が生じる。このような問題を解消するものして、一方面をクリーナー面とし、他方面を携帯電話機への貼り付け面とし非使用時には携帯電話機表面に貼り付けた状態とできるクリーナーが知られている（特許第３６６３２０３号）。
【考案の開示】
【考案が解決しようとする課題】
【０００３】  しかしながら、上記のクリーナーは使用に際し下記の問題点があった。すなわち、そのベース層となるフィルムが非常に薄く全体が平面的であるので使用に際して携帯電話機から取り外しにくく、また、表示画面を拭きにくいという問題点があった。【０００４】  この考案では携帯電話機用クリーナー等として好適に用いられるクリーナーを提供することを目的とする。
【課題を解決するための手段】
【０００５】  この考案では、弾力性、かつ、厚みの有る樹脂シートの片面が被取り付け面に取り外し可能に貼り付けられる貼り付け面とされ、他方側面をクリーナー面とすることを特徴とするクリーナーを提供する。【０００６】  この考案のクリーナーが、例えば、携帯電話機用クリーナーとされた場合、携帯電話機からの取り外しに際し、厚みがあるので剥しやすく、また、表示画面を拭く際にも厚みがあることで持ちやすく、さらに弾力があって押し付けることでクリーナー面を確実に表示画面に接触させて拭くことで、拭き取り性能も良好となる。【０００７】  用いられる樹脂シートの厚みは、０．７〜１．５ｍｍ程度とされるのが好ましく、また、樹脂シートは発泡構造とされることで良好な弾力性が得られる。この考案のクリーナーは携帯電話機用クリーナーの他に表示画面を有する各種機器のクリーナーとして使用でき、さらに、ディスクの記録面を拭くクリーナーとしても使用できる。
【考案の効果】
【０００８】  この考案によれば、剥しやすく、しかも、拭き取り性能に優れる携帯電話機用クリーナー等として好適に使用されるクリーナーが得られる。
【考案を実施するための最良の形態】
【０００９】  図１はこの考案のクリーナーとしての携帯電話機用クリーナーの外観斜視図、図２は断面図である。携帯電話機用クリーナー１は円形で、１ｍｍ厚のポリエチレン発泡体よりなる樹脂シート（１０倍発泡）２の表面側に不織布よりなるクリーナー部材３がアクリル系の接着剤層４を介して固着され、裏面側にウレンタ系の粘着剤層５が設けられ、販売時にはその粘着剤層５に離形シート６が貼り付けられている。上記のような構成により、携帯電話機用クリーナー１は、表面がクリーナー面とされ裏面が携帯電話機への貼り付け面とされている。【００１０】  上記携帯電話機用クリーナー１は、非使用時には、粘着剤層５面が携帯電話機１０の背面に貼り付けられて、図３に示すように取り付けられ、その粘着剤層５部分で剥して携帯電話機１０から取り外すことで、そのクリーナー部材３面により携帯電話機１０の表示画面を拭くように用いられる。【００１１】  上記の携帯電話機１０からの取り外しに際し、携帯電話機用クリーナー１が厚みのある樹脂シート２が使用されて全体として厚みを有していることで指をかけて剥しやすく、また、表示画面を拭く際にも厚みがあることで持ちやすく、さらに厚みのある樹脂シート２に弾力がありある程度大きな力をかけてもその力が樹脂シート２に吸収されるので、押し付けることでクリーナー部材３を確実に表示画面に接触させて拭くことが可能となって、これにより高い拭き取り性能が確保される。【００１２】  図４は上記携帯電話機用クリーナー１の変形例の断面図である。この携帯電話機用クリーナー１では、樹脂シート２として表面にアルミ等の金属膜１２が蒸着等により付設されたものを使用している。このような携帯電話機用クリーナー１は金属膜１２が電磁波の遮断機能を持ち、「お財布携帯」と呼ばれるコンビニや自動販売機で支払いに使用可能な携帯電話機に使用される。すなわち、この種携帯電話機においてはその支払いデータが満員電車等の混雑環境において他人に読み取られることで不正使用される問題があり、この実施形態の携帯電話機用クリーナー１が、図３に示すように、その読み取り位置に貼られることで読み取り信号（電磁波）が遮断され、不正使用が防止されるようになる。クリーナー部材３と樹脂シート２との間に金属箔シートを介在させることによっても同様に電磁波の遮断機能を持つクリーナーが得られる。【００１３】  図５はこの考案のクリーナーの他の実施形態であるディスククリーナーの使用状態を示す外観斜視図、図６は同断面図である。【００１４】  ディスククリーナー２０はその断面構成を上記実施形態の携帯電話機用クリーナー１の図２に示す構成と同一とするもので、このディスククリーナー２０はディスクケース２２内に装着されて用いられる。ディスククリーナー２０はその裏面の粘着剤層５がディスクケース２２内に敷設された載置プレート２４面上に貼り付けられて取り付けられ、そのクリーナー部材３上にディスクＤがその記録面を接触するように載置される。その状態において表面を押さえてディスクＤを回転させることで、回転移動するディスクＤの記録面のゴミや埃がクリーナー部材３面に拭き取られる。その際ディスククリーナ２０はその粘着剤層５により載置プレート２４上に貼り付けられて固定されていることでディスクＤと共回りせず、これにより効率良くゴミや埃がクリーナー部材３面に拭き取られる。この際にも、ディスククリーナー２０は弾力のある樹脂シート２を備えていることでディスクＤにある程度大きな力をかけてもその力が樹脂シート２に吸収されるので、押し付けるようにしてディスクＤを回転させることでその記録面をクリーナー部材３に確実に接触させて拭くことが可能となって、その拭き取り性能が高められる。
【図面の簡単な説明】
【図１】  この考案のクリーナーが携帯電話機用クリーナーとされた実施形態の外観斜視図
【図２】  この考案のクリーナーが携帯電話機用クリーナーとされた実施形態の断面図
【図３】  この考案のクリーナーが携帯電話機用クリーナーとされた実施形態の使用状態図
【図４】  この考案のクリーナーが携帯電話機用クリーナーとされた実施形態の変形例の断面図
【図５】  この考案のクリーナーがディスククリーナーとされた実施形態の使用状態図
【図６】  この考案のクリーナーがディスククリーナーとされた実施形態の使用状態断面図
【符号の説明】
１  携帯電話機用クリーナー（クリーナー）
２  樹脂シート
３  クリーナー部材
【図１】
0003146500.tif 000003
【図２】
0003146500.tif 000004
【図３】
0003146500.tif 000005
【図４】
0003146500.tif 000006
【図５】
0003146500.tif 000007
【図６】
0003146500.tif 000008